(57)【要約】【課題】軽量で強靱な竹材による竹トラス梁およびその梁支持部材を提供する。【解決手段】竹トラス梁は、竹材から成る上下の弦材４ａ、４ｂと、これらの弦材を相互に連結する腹材４ｃから構成される。【選択図】        図５
2005231285.tif 000002
【特許請求の範囲】
【請求項１】
竹材から成る上下の弦材と、これらの弦材を相互に連結する腹材から構成されることを特徴とする竹トラス梁。
【請求項２】
上下の弦材がそれぞれほぼ平行に間隔を保った２本の竹材から成ることを特徴とする請求項１に記載の竹トラス梁。
【請求項３】
上下の弦材の一方が１本の竹材で、他方がそれぞれほぼ平行に間隔を保った２本の竹材から成ることを特徴とする請求項１に記載の竹トラス梁。
【請求項４】
上下の弦材がそれぞれ１本の竹材から成ることを特徴とする請求項１に記載の竹トラス梁。
【請求項５】
各弦材の竹材が１本または２本以上の束として構成されることを特徴とする請求項１、２、３、または４に記載の竹トラス梁。
【請求項６】
２組の竹トラス梁を十字状あるいはＴ字状に交差させるのに際し、一方の竹トラス梁の上弦材に、他方の竹トラス梁の上弦材の上側または下側に交差せしめると共に、一方の竹トラス梁の下弦材に、他方の竹トラス梁の下弦材の上側または下側に交差せしめることを特徴とする請求項１ないし５のいずれかの項に記載の竹トラス梁。
【請求項７】
上記弦材を波形に形成することを特徴とする請求項１ないし６のいずれかの項に記載の竹トラス梁。
【請求項８】
竹トラス梁の下弦材を受ける竹材から成る梁受材と、該梁受材の下側に一体的に組み付けられ、柱や壁等の構造体の頭部に取り付け支持されるる弧状部材から構成されることを特徴とする梁支持部材。
【請求項９】
上記梁受材が１本または２本以上の竹材の束から成ることを特徴とする請求項８に記載の梁支持部材。
【請求項１０】
上記梁受材を波形に形成することを特徴とする請求項８または９に記載の梁支持部材。
【発明の詳細な説明】
【技術分野】
【０００１】
本発明は、竹トラス梁およびその梁支持部材に関するものである。
【背景技術】
【０００２】
従来、鋼材から成るトラス梁はあるが、竹材を使用したトラス梁はなかった。
【発明の開示】
【発明が解決しようとする課題】
【０００３】
本発明が解決しようとする課題は、軽量で強靱な竹材による竹トラス梁およびその梁支持部材を提供することにある。
【課題を解決するための手段】
【０００４】
本発明の竹トラス梁は、竹材から成る上下の弦材と、これらの弦材を相互に連結する腹材から構成されることを特徴とする。また、上下の弦材がそれぞれほぼ平行に間隔を保った２本の竹材から成ることを特徴とする。さらに、上下の弦材の一方が１本の竹材で、他方がそれぞれほぼ平行に間隔を保った２本の竹材から成ることを特徴とする。又更に、上下の弦材がそれぞれ１本の竹材から成ることを特徴とする更にまた、各弦材の竹材が１本または２本以上の束として構成されることを特徴とする。また、２組の竹トラス梁を十字状あるいはＴ字状に交差させるのに際し、一方の竹トラス梁の上弦材に、他方の竹トラス梁の上弦材の上側または下側に交差せしめると共に、一方の竹トラス梁の下弦材に、他方の竹トラス梁の下弦材の上側または下側に交差せしめることを特徴とする。さらに、上記弦材を波形に形成することを特徴とする。
【０００５】
また、本発明の梁支持部材は、竹トラス梁の下弦材を受ける竹材から成る梁受材と、該梁受材の下側に一体的に組み付けられ、柱や壁等の構造体の頭部に取り付け支持されるる弧状部材から構成されることを特徴とする。さらに、上記梁受材が１本または２本以上の竹材の束から成ることを特徴とする。又更に、上記梁受材を波形に形成することを特徴とする。
【発明の効果】
【０００６】
本発明の竹トラス梁およびその梁支持部材は、軽量で堅牢な竹材建造物を構成することができる。
【発明を実施するための最良の形態】
【０００７】
図１は大型竹ドームの正面図、図２はその平面図であって、１は、丸竹材（割っていない竹材）を六ツ目編み組して構成された竹ケージであり、２は、割竹材を六ツ目編み組みして構成された竹メッシュである。該竹メッシュ２は、上記竹ケージ１の六角状の網目１ａ内に取り付けられる。Ｇは出入り口である。本実施例は、竹ケージ１や竹メッシュ２を六ツ目編みしたが、四ツ目編みなど、他の組み付け構造であってもよい。
【０００８】
図３（Ａ）は上記竹ケージ１の一部を拡大したもので、図３（Ｂ）に示すように、竹ケージ１を構成する竹材Ｔは、波形に成形されている。竹材Ｔは、燃焼ガス等の高温ガスにより加熱乾燥されている。なお、上記竹ケージ１は直状の竹材を使用してもよい。本実施例では、１本の竹材Ｔを編み組みしているが、２本或いは３本など、複数本を束ねた状態でケージ状に編み組みしてもよい。
【０００９】
上記竹材Ｔを継ぎ足す場合には、２本の竹材の端部同士を重ねて縛り付けたり、或いは、図３（Ｃ）（Ｄ）（Ｅ）に示すように、２本の竹材Ｔ、Ｔ′を接続金物３により接続してもよい。この接続金物３は、帯板３ａの両端部に嵌合筒３ｂ、３ｂ′をそれぞれ反対側に位置するように取り付けると共に、これら嵌合筒３ｂ、３ｂ′の手前に締付バンド３ｃ、３ｃ′を取り付けて、構成されている。竹材Ｔ、Ｔ′の先端をそれぞれ上記嵌合筒３ｂ、３ｂ′に差し込み、締付バンド３ｃ、３ｃ′により竹材Ｔ、Ｔ′を締め付け固定する。
【００１０】
図４は、上記竹ケージ１を支持する竹トラス梁４を示す。本実施例の竹トラス梁４は、図５（Ａ）に示すように、２本の上弦材４ａと、２本の下弦材４ｂと、これらの弦材４ａ、４ｂを相互に連結する腹材４ｃから構成される立体トラス梁として構成されている。弦材４ａ、４ｂの竹材は、図３（Ｃ）（Ｄ）（Ｅ）に示すような上記接続金物３により接続することにより、１本の竹材より長い長尺状の竹トラス梁４を構成することができる。また、上記実施例では１本の弦材４ａ，４ｂとしているが、２本或いは３本など、複数本を束ねて使用してもよい。
【００１１】
上記腹材４ｃは、上記弦材４ａ、４ｂにあけた穴に差し込むことにより一体的に組み付けられる。なお、腹材４ｃを斜めに組み付ける場合には、図５（Ｂ）（Ｃ）に示すように、Ｌ型パイプのエルボ５ａと連結バンド５ｂから成る接続金物５により組み付けてもよい。すなわち、腹材４ｃの端部をエルボ５ａに差し込んで、このエルボ５ａを締付バンド５ｂにより弦材４ａ、４ｂに取り付ける。
【００１２】
上記実施例の竹トラス梁４は、上下の弦材がそれぞれ２本づつの四角形の立体トラス梁について説明したが、本発明の竹トラス梁はこれに限定するものではなく、上弦材４ａが１本で下弦材４ｂが２本、或いは、上弦材４ａが２本で下弦材４ｂが１本の三角形の立体トラス梁であったり、また、上下の弦材がそれぞれ１本づつの平面トラス梁であってもよい。
【００１３】
図６に示すように、上記竹トラス梁４、４′は十字交差させて、一体的に組み付ける。この場合、上記弦材４ａ、４ｂを波形（図３（Ｂ）を参照）に成形することにより、交差する２つの竹トラス梁４、４′の段差を少なくすることができる。また、これらの交差部は、一方の竹梁４の側面に接続板（図示せず）を取り付けて、図３（Ｃ）に示すような接続金物を、前記接続板に設け、他方の竹梁４′の端部を固定するようにしてもよい。
【００１４】
図７は、上記竹トラス梁４を支持する梁支持部材６を示すもので、上記竹トラス梁４の下弦材４ｂを受ける梁受材６ａと、該梁受材６ａの下側に一体的に組み付けられる弧状部材６ｂから構成される。上記各梁受材６ａは、下弦材４ｂを受け易いように、２本の竹材を束ねたものを使用しているが、１本あるいは３本以上の複数の竹材を束ねて使用してもよい。該弧状部材６ｂは、柱や壁（図示せず）等の構造体の頭部に取り付け支持される。この柱も竹材により構成してもよい。図８から明らかなように、本梁支持部材６は弧状部材６ｂを有するので、図８（Ａ）に示すように、上記竹トラス梁４を水平状態に支持したり、図８（Ｂ）に示すように、斜めの任意の傾斜角に支持することができる。
【００１５】
図１に示す竹ドームは、麻縄等の索条により覆い、その裾部分で索条を引張り状態で固定することにより、竹竹ドームが強風等で吹き飛ばされないようにする。
【図面の簡単な説明】
【００１６】
【図１】大形竹ドームの一例を示す正面図である。
【図２】図１の平面図である。
【図３】竹ケージの部分拡大図（Ａ）、そのイ−イ断面図（Ｂ）、接続金物の説明図（Ｃ）（Ｄ）（Ｅ）である。
【図４】竹トラス梁の配構図である。
【図５】竹トラス梁の斜視図（Ａ）、弦材と腹材の接続例の説明図（Ｂ）（Ｃ）である。
【図６】２つの竹トラス梁の十字交差構造の説明図である。
【図７】竹トラス梁の支持部材の斜視図である。
【図８】図７の支持部材による竹トラス梁の支持例の説明図である。
【符号の説明】
【００１７】
１    竹ケージ
１ａ  網目
２    竹メッシュ
３    接続金物
３ａ  帯板
３ｂ、３ｂ′嵌合筒
３ｃ、３ｃ′締付バンド
４、４′竹トラス梁
４ａ  （上）弦材
４ｂ  （下）弦材
４ｃ  腹材
５  接続金物
５ａ  エルボ
５ｂ  連結バンド
６  梁支持部材
６ａ  梁受材
６ｂ  弧状部材
Ｔ、Ｔ′  竹材
【図１】
2005231285.tif 000003
【図２】
2005231285.tif 000004
【図３】
2005231285.tif 000005
【図４】
2005231285.tif 000006
【図５】
2005231285.tif 000007
【図６】
2005231285.tif 000008
【図７】
2005231285.tif 000009
【図８】
2005231285.tif 000010